(57)【要約】【課題】  屋根用の断熱材支持手段として適用した場合、施工中に風が下方から吹いても断熱材を安定して支持することができる支持金具を提供する。【解決手段】  取付部１０は、頂面部１１と側面部１２とを有して断面コ字状をなしている。取付部１０には、側面部１２の縁部から支持部２０が延在している。頂面部１１に、爪部１４が下方に向けて突出して形成され、支持部２０に、上方に向けて爪部２２が突出して形成され、頂面部１１の側面部１２の近傍に、先端に屈曲した爪１６ａを有する爪部１６が外側に向けて突出して形成されている。爪部１３を垂木１０１の上面に突き刺すことにより取付部１０を垂木１０１に固定することができる。また、爪部２２を断熱材１０２の下面に突き刺し、かつ爪部１６を折り曲げて爪１６ａを断熱材１０２の上面に突き刺すことにより、断熱材１０２を上下から挟んで押さえつけることができる。【選択図】        図３
2006176966.tif 000002
【特許請求の範囲】
【請求項１】
所定の間隔をおいて横方向に並んで配置された支持部材の間でパネルを支持するための支持金具において、
頂面部とこの頂面部に形成された側面部とを有して断面コ字状をなし、前記支持部材を跨ぐようにして固定される取付部と、
前記側面部の縁部から略直交して外側に向けて延在し、前記パネルの下面に固定される支持部とを備え、
前記頂面部に、下方に向けて突出する第１爪部を形成し、
前記支持部に、上方に向けて突出する第２爪部を形成し、
前記頂面部の前記側面部近傍に、先端に屈曲した爪を有する第３爪部を外側に向けて突出して形成し、
前記第１爪部を前記支持部材の上面に突き刺すことにより、前記取付部が前記支持部材に固定され、
前記第２爪部を前記パネルの下面に突き刺し、かつ前記第３爪部を折り曲げて前記爪を前記パネルの上面に突き刺すことにより、前記パネルが前記支持部に固定されることを特徴とする支持金具。
【請求項２】
前記側面部に、内側に向けて突出する第４爪部を形成し、
前記第４爪部を前記支持部材の側面に突き刺すようにしたことを特徴とする請求項１に記載の支持金具。
【請求項３】
前記側面部に、前記側面部の上端部から下端部への熱伝導を抑制するための熱伝導抑制部が形成されていることを特徴とする請求項１または２に記載の支持金具。
【請求項４】
前記側面部は、所定の長さの隙間を間にして形成された上側側面部と下側側面部とを有し、
前記上側側面部と前記下側側面部とは、熱絶縁部材により連結され、
前記熱伝導抑制部は、前記隙間と前記熱絶縁部材とにより構成されていることを特徴とする請求項３に記載の支持金具。
【請求項５】
前記熱伝導抑制部は、前記側面部の上端部と下端部とを連結するとともに、前記側面部の上端部および下端部よりも小さな幅を有する連結部であることを特徴とする請求項３に記載の支持金具。
【請求項６】
前記側面部の中央部に開口が形成され、
前記連結部は、前記開口を挟むように形成され、前記側面部の上端部および下端部のそれぞれの両側縁部に接続していることを特徴とする請求項５に記載の支持金具。
【請求項７】
前記側面部の中央部の両側端部に切欠が形成され、
前記連結部は、前記切欠の間に形成され、前記側面部の上端部および下端部のそれぞれの中央部に接続していることを特徴とする請求項５に記載の支持金具。
【発明の詳細な説明】
【技術分野】
【０００１】
本発明は、所定の間隔をおいて横方向に並んで配置された支持部材の間でパネルを支持するための支持金具に係り、特に、建物の屋根用の垂木の間で断熱材を支持するために使用して好適な支持金具に関する。
【背景技術】
【０００２】
近年の木造住宅等の建物では、快適な温度および湿度を有する居住環境を確保したり、冷暖房に使用されるエネルギーを節約したりするために、建物全体に断熱構造が採用されている。このような断熱構造において、建物の床では、所定の間隔をおいて配置された支持部材としての床小梁間に断熱材が敷き詰められ、建物の屋根では、所定の間隔をおいて配置された支持部材としての垂木の間に断熱材が敷き詰められている。敷き詰められた断熱材の固定には、薄い鋼板を直角に折り曲げて形成された略Ｚ字状の金具が用いられている。略Ｚ字状の金具を床に適用する場合、その一端部を床小梁の上面に固定し、他端部で断熱材の端部下面を支持している。
【０００３】
上記のＺ字状の金具は、強度が小さく、かつ支持部材から離脱しやすいため、たとえば特許文献１に開示されている支持金具の改良技術がよく利用されている。すなわち、図１３に示すように、支持金具２００は、頂面部２１１と、この頂面部２１１の両縁部から垂直に延在にする側面部２１２とを有する断面コ字状をなした取付部２１０を備えている。取付部２１０の縁部には、その側面部２１２と略直交するように支持部２２０が延在している。頂面部２１１の下面には、下方に向けて突出する爪部２１３が形成されている。支持部２２０の上面には、上方に向けて突出する爪部２２１が形成されている。支持金具２００は、床用の断熱材支持に使用する場合、取付部２１０が床小梁を跨ぐように取り付けられ、支持部２２０が断熱材の下端部を支持するようになっている。このような支持金具２００では、爪部２１３を床小梁の上面に突き刺すことにより、取付部２１０が床小梁に固定され、爪部２２１を断熱材の下面に突き刺すことにより、支持金具２００を介して断熱材が床小梁に固定される。
【０００４】
【特許文献１】特開平６−５７９３２号（要約）
【発明の開示】
【発明が解決しようとする課題】
【０００５】
しかしながら、上記のような支持金具２００は、床用の断熱材支持手段として構成されているため、屋根用の断熱材支持手段として使用すると次のような問題があった。屋根は風が当たりやすい場所である。このため、断熱材を垂木の間に敷き詰めるときに支持金具２００のように爪部２２１を断熱材の下面のみに突き刺して断熱材を固定する場合、屋根下から風が吹くと、断熱材が支持金具２００から浮き上がり、ひいてはそこから脱離する虞があった。また、断熱材を垂木の間に敷き詰めているときに支持金具２００のように爪部２１３を垂木の上面のみに突き刺して支持金具２００を垂木に固定する場合、屋根下から風が吹いて、断熱材に対して上方に力が作用すると、それに伴って、断熱材を固定している支持金具２００にも上方に力が作用し、爪部２１３が垂木から抜ける虞があった。特に、近年、プラスチック発泡体からなる軽量な断熱材が使用されているため、上記の問題が発生しやすくなっていた。さらに、屋根の場合、垂木が下方に傾斜しているため、支持金具２００を介して断熱材を垂木で支持すると、断熱材も垂木に沿って下方に傾斜する。このため、上記のように爪部２１３は垂木の上面から抜けやすいから、支持金具２００に垂木の傾斜方向下側に力が作用すると、支持金具２００は断熱材ととともに下方に滑り落ちる虞があった。
【０００６】
一方、上記のように垂木の間に固定された断熱材は、その上面が屋根材あるいは屋根下地部に接し、その下面が室内側となるように配置され、これら断熱材の上下面の間では、断熱材により断熱されるので温度差が生じている。しかしながら、その温度差が大きくなった場合、上記のような支持金具２００は金属製であるから熱伝導率が大きく、かつ側面部２１２の面積が大きいため、支持金具２００で熱橋現象が起こり、結露が生じていた。
【０００７】
したがって、本発明は、屋根用の断熱材支持手段として適用した場合でも、断熱材を安定して支持することができ、かつ結露発生を防止することができる支持金具を提供することを目的としている。
【課題を解決するための手段】
【０００８】
本発明の支持金具は、所定の間隔をおいて横方向に並んで配置された支持部材の間で板状の断熱材等のパネルを支持するための支持金具であって、頂面部とこの頂面部に形成された側面部とを有して断面コ字状をなし、支持部材を跨ぐようにして固定される取付部と、側面部の縁部から略直交して外側に向けて延在し、板状の断熱材等のパネルの下面に固定される支持部とを備え、頂面部に、下方に向けて突出する第１爪部を形成し、支持部に、上方に向けて突出する第２爪部を形成し、頂面部の前記側面部近傍に、先端に屈曲した爪を有する第３爪部を外側に向けて突出して形成し、第１爪部を支持部材の上面に突き刺すことにより、取付部が支持部材に固定され、第２爪部を板状の断熱材等のパネルの下面に突き刺し、かつ第３爪部を折り曲げて爪を板状の断熱材等のパネルの上面に突き刺すことにより、板状の断熱材等のパネルが支持部に固定されることを特徴としている。
【０００９】
本発明の支持金具では、頂面部に、下方に向けて突出する第１爪部を形成しているので、屋根用の断熱材支持手段として適用した場合、第１爪部を支持部材としての垂木の上面に突き刺すことにより取付部を垂木に固定することができる。また、支持部に、上方に向けて突出する第２爪部を形成し、かつ頂面部の側面部近傍に、先端に屈曲した爪を有する第３爪部を外側に向けて突出して形成しているので、第２爪部をパネルとしての板状の断熱材の下面に突き刺すとともに、第３爪部を折り曲げて爪を断熱材の上面に突き刺すことにより、断熱材を上下から挟んで押さえつけることができる。これにより、断熱材に作用する上下方向の力に対して強い保持力を発揮することができるので、支持金具に断熱材を安定して固定することができる。したがって、垂木の傾斜方向下側に向けて発生する断熱材の荷重を支えることができるので、断熱材を安定して支持することができ、しかも、その構成は簡単である。さらに、上記のように断熱材を上下から挟んで押さえつけることができるので、施工中に風が下から吹いて断熱材に対して上方に力が作用しても、断熱材が浮上したり、風により飛ばされることを防止することができ、しかも安全である。
【００１０】
ここで、上記のように支持金具を屋根用の断熱材支持手段として適用する場合、その支持性能を向上させるために種々の技術を用いることができる。たとえば、側面部に、第４爪部を内側に向けて突出して形成することができる。このような態様では、第４爪部を垂木の側面に突き刺すと、突き刺された第４爪部が垂木の繊維に引っ掛かかることから、支持金具は、垂木の表面の爪部および垂木の両側面の爪部の３点で固定することができるので、上下左右方向の力に対して強い保持力を発揮することができる。これにより、支持金具を介して断熱材を垂木により強く固定することができるので、施工中に風が下方から吹いて断熱材に対して上方に力が作用しても、断熱材が浮上したり、風により飛ばされることをさらに防止することができ、しかもさらに安全である。
【００１１】
また、支持金具は、金属の高熱伝導率および断熱材の上下面の間で生じた温度差に起因した結露発生の防止手段を備えることができる。たとえば、側面部に、側面部の上端部から下端部への熱伝導を抑制するための熱伝導抑制部を形成することができる。このような態様では、屋根に断熱材を用いた場合には、その上下面の間で大きな温度差が生じるが、側面部に熱伝導抑制部を形成しているので、熱伝導抑制部によって側面部の上端部から下端部への熱伝導を抑制することができる。したがって、側面部での熱橋現象を抑制することができるので、結露発生を防止することができる。
【００１２】
具体的には、上記の熱伝導抑制部は、側面部における熱伝導の速度と熱容量を小さくすることにより実現することができる。たとえば、側面部にその上端部から下端部への熱伝導を遮断するための隙間を形成するとともに、この隙間により分けられた上側側面部と下側側面部とを熱絶縁部材により連結することができる。これら隙間と熱絶縁部材とにより熱伝導抑制部を構成することができる。このような態様では、隙間および熱絶縁部材によって、側面部の上端部から下端部への熱伝導をさらに抑制することができる。
【００１３】
また、熱伝導抑制部として、側面部の上端部と下端部とを連結するとともに、側面部の上端部および下端部よりも小さな幅を有する連結部を形成することができる。たとえば、側面部の中央部に開口を形成することにより、側面部の上端部および下端部のそれぞれの両側縁部に接続するように上記連結部を構成することができる。あるいは、側面部の中央部の両側端部に切欠を形成することにより、側面部の上端部および下端部のそれぞれの中央部に接続するように上記連結部を構成することができる。連結部は、支持金具として要求される強度を満足する範囲内において、できる限り、前記開口あるいは前記切欠の面積を大きくすることが望ましい。このような態様では、側面部の上端部と下端部との間の部分の熱伝導面積を小さくすることができるので、側面部の上端部から下端部への熱伝導をさらに抑制することができる。
【発明を実施するための最良の形態】
【００１４】
（１）実施形態の構成
以下、本発明の一実施形態について図面を参照して説明する。図１は、本発明の一実施形態の支持金具を表す図であり、（Ａ）は正面図、（Ｂ）は側断面図、（Ｃ）は上面図である。支持金具１は、断面コ字状をなす取付部１０を備えている。取付部１０は、頂面部１１を有し、この頂面部１１の縁部から側面部１２が略直交して延在している。取付部１０には、側面部１２の縁部から支持部２０が外側に向けて略直交して延在している。
【００１５】
頂面部１１の中央部近傍には、三角形状の開口１３が形成されている。開口１３の端部には、垂直下方に向けて突出するように爪部（第１爪部）１４が折曲されて形成されている。
【００１６】
頂面部１１の端部には、そこから側面部１２の上部まで延在するとともに、先端が三角形状をなした開口１５が形成されている。開口１５での頂面部１１側の端部には、垂直上方に向けて突出するように爪部（第３爪部）１６が折曲されて形成されている。爪部１６は、その先端に三角形状の爪１６ａが屈曲して形成され、断面逆Ｌ字状をなしている。
【００１７】
取付部１０の側面部１２は、上側側面部１２Ａと下側側面部１２Ｂとを有し、上側側面部１２Ａと下側側面部１２Ｂの間には、所定の長さを有する隙間１２Ｃが形成されている。
【００１８】
取付部１０の側面部１２の下部には、三角形状の開口１７が形成されている。開口１７の端部には、内側に向けて垂直に突出するように爪部（第４爪部）１８が折曲されて形成されている。
【００１９】
支持部２０の先端部には、三角形状の切欠２１が形成されている。切欠２１の端部には、内側に向けて垂直に突出するように爪部（第２爪部）２２が折曲されて形成されている。爪部２２は、支持部２０の上面において、側面部１２に対して傾斜している。
【００２０】
取付部２０の側面部１２の中間部には、熱伝導抑制部３０が形成されている。熱伝導抑制部３０は、上側側面部１２Ａに形成された爪３１と下側側面部１２Ｂに形成された爪３２と有し、爪３１，３２によって、上側側面部１２Ａと下側側面部１２Ｂとを連結するための熱絶縁部材３３が固定されている。熱絶縁部材３３は、熱絶縁性を有するプラスチックなどの樹脂からなる。
【００２１】
（２）実施形態の設置方法
次に、図２，３を参照して本実施形態の支持金具の好適な設置方法について説明する。図２は、本実施形態の支持金具が屋根に所定の間隔をおいて横方向に並んで配置された支持部材としての垂木に固定されている状態を表す概略斜視図であり、図３は、図２の垂木に固定された支持金具によってパネルとしての断熱材が支持されている状態を表す概略断面図である。なお、図２，３では、垂木は１本のみ図示し、紙面手前側が屋根の下方側である。図３では、図２の１本の垂木に隣接する断熱材のみ図示している。
【００２２】
まず、図２に示すように本実施形態の支持金具１を垂木１０１（支持部材）に固定する。すなわち、取付部１０が垂木１０１を跨ぐようにして支持金具１を取り付ける。この場合、ハンマー等を用いて取付部１０の頂面部１１の開口１３の上側から爪部１４をたたくことにより、図２に示すように垂木１０１の上面に爪部１４を突き刺す。このとき、支持金具１は、その両側面部１２が外側に少し拡開して垂木１０１を挟むように取り付けられるが、下記のように垂木１０１の間に板状の断熱材１０２を敷き詰めると、敷き詰められた板状の断熱材１０２によって、支持金具１の両側面部１２が垂木１０１に向けて押さえ付けられる。これにより、爪部１８は、垂木１０１の両側面に自然に突き刺さり、木材特有の繊維に引っ掛かるので、上下方向の力に対して強い保持力を発揮する。このように垂木１０１の上面に突き刺さされた爪部１４および垂木１０１の両側面に突き刺さされた爪部１８によって、支持金具１が垂木１０１の両側面および上面の３点で安定して固定される。
【００２３】
続いて、隣り合う垂木１０１の間に板状の断熱材１０２（パネル）を敷き詰め、図３に示すように、垂木１０１に固定された支持金具１によって、垂木１０１の間で断熱材１０２を固定する。すなわち、支持金具１の支持部２０の上面に断熱材１０２の端部を載置する。この場合、爪部２２は、支持部２０の上面において、勾配を持って配置された垂木１０１の上り勾配の方向に向けて拡開するように配置されている。次に、載置された断熱材１０２の上面を押さえつけながら、図３に示すように手で断熱材１０２の下面に爪部２２を突き刺す。次いで、指で頂面部１１の爪部１６を略９０度折り曲げ、図３に示すように断熱材１０２の上面に爪部１６の爪１６ａを突き刺す。このように断熱材１０２の上下面に突き刺さされた爪部１６，２２によって、断熱材１０２の上下面が挟み込まされるので、断熱材１０２が安定して支持される。
【００２４】
本実施形態の支持金具１では、頂面部１１に、下方に向けて突出する爪部１３を形成しているので、屋根用の断熱材支持手段として適用した場合、爪部１３を支持部材としての垂木１０１の上面に突き刺すことにより取付部１０を垂木１０１に固定することができる。また、支持部２０に、上方に向けて突出する爪部２２を形成し、かつ頂面部１１の側面部１２の近傍に、先端に屈曲した爪１６ａを有する爪部１６を外側に向けて突出して形成しているので、爪部２２をパネルとしての断熱材１０２の下面に突き刺すとともに、爪部１６を折り曲げて爪１６ａを断熱材１０２の上面に突き刺すことにより、断熱材１０２を上下から挟んで押さえつけることができる。これにより、断熱材１０２に作用する上下方向の力に対して強い保持力を発揮することができるので、支持金具１に断熱材１０２を安定して固定することができる。したがって、垂木１０２の傾斜方向下側に向けて発生する断熱材１０２の荷重を支えることができるので、断熱材１０２を安定して支持することができ、しかも、その構成は簡単である。さらに、上記のように断熱材１０２を上下から挟んで押さえつけることができるので、施工中に風が下から吹いて断熱材１０２に対して上方に力が作用しても、断熱材１０２が浮上したり、風により飛ばされることを防止することができ、しかも安全である。
【００２５】
特に、本実施形態では、爪部１８を垂木１０１の側面に突き刺すと、突き刺された爪部１８が垂木１０１の繊維に引っ掛かかることから、支持金具１は、垂木１０１の表面の爪部１４および垂木１０１の両側面の爪部１８の３点で固定されるので、上下左右方向の力に対して強い保持力を発揮することができる。これにより、支持金具１を介して断熱材１０２を垂木１０１により強く固定することができるので、施工中に風が下方から吹いて断熱材１０２に対して上方に力が作用しても、断熱材１０２が浮上したり、風により飛ばされることをさらに防止することができ、しかもさらに安全である。
【００２６】
また、屋根に断熱材１０２を用いた場合には、その上下面の間で大きな温度差が生じるが、側面部１２に熱伝導抑制部３０を形成しているので、熱伝導抑制部３０によって側面部１２の上端部から下端部への熱伝導を抑制することができる。したがって、側面部１２での熱橋現象を抑制することができるので、結露発生を防止することができる。特に、熱伝導抑制部３０を隙間１２Ｃおよび熱絶縁部材３３により構成しているので、側面部１２の上端部から下端部への熱伝導をさらに抑制することができる。
【００２７】
（３）変形例
以上、本実施形態を挙げて本発明を説明したが、本発明は本実施形態に限定されるものではなく、種々の変形が可能である。たとえば、屋根に所定の間隔をおいて配置された垂木１０１間で断熱材１０２を支持するために支持金具１を用いたが、これに限定されるものではなく、上下方向に傾斜し横方向に並んで配置された支持部材の間で、断熱材に限らず種々のパネルを支持するために支持金具１を用いてもよい。また、断熱材を床小梁の間で支持する場合のように、水平に横方向に並んで配置された支持部材の間で、断熱材に限らず種々のパネルを支持するために支持金具１を用いてもよい。
【００２８】
また、本実施形態では、熱伝導抑制部３０として、隙間１２Ｃおよび熱絶縁部材３３を設ける代わりに、側面部１２の上端部と下端部とを連結するとともに、側面部１２の上端部および下端部よりも小さな幅を有する連結部を設けることができる。たとえば、図４に示すような支持金具２では、側面部１２の中央部に矩形状の開口３４が形成され、この開口３４を挟むようにして連結部３５が形成されている。連結部３５は、側面部１２の上端部および下端部のそれぞれの両側縁部に接続している。このような支持金具２は、上記の支持金具１と同様な方法によって、図５および図６に示すように、垂木１０１に固定することができ、かつ断熱材１０２を支持することができる。このような態様では、側面部１２の中間部に形成された連結部３５によって、側面部１２の熱伝導面積を小さくすることができるので、側面部１２の上端部から下端部への熱伝導をさらに抑制することができる。
【００２９】
さらに、図７に示すような支持金具３では、側面部１２の中央部の両側端部に矩形状の切欠３６が形成され、切欠３６の間に連結部３７が形成されている。連結部３７は、側面部１２の上端部および下端部のそれぞれの中央部に接続している。このような支持金具３は、上記の支持金具１と同様な方法によって、図８および９に示すように、垂木１０１に固定することができ、かつ断熱材１０２を支持することができる。このような態様では、側面部１２の中間部に形成された連結部３７によって、側面部１２の熱伝導面積を小さくすることができるので、側面部１２の上端部から下端部への熱伝導をさらに抑制することができる。
【００３０】
加えて、本実施形態では、図１０に示す支持金具４のように、側面部１２に熱伝導抑制部３０を設けずに構成することができる。このような支持金具４は、図１１および１２に示すように、上記の支持金具１と同様に設置することにより、垂木１０１に固定することができ、かつ断熱材１０２を支持することができる。
【実施例】
【００３１】
（断熱性能試験）
本発明の実施例を説明する。本実施例では、電気乾燥炉の扉部分に、実施例１〜４の支持金具を備えた試験体を取り付け、その炉内部を所定の温度（実施例１〜４は６０℃、実施例５〜６は８０℃）に加熱し、支持金具の加熱面側および表面側（加熱面の反対側）の温度を測定した。測定は、加熱開始から３０秒毎に、約１時間行い、表面側の温度がほぼ恒温となった時点で終了した。試験体は、図３あるいは図６に示すような構成とし、垂木として杉材を用い、断熱材としてプラスチック発泡体からなる断熱パネルを用い、本発明の支持金具として種々のサンプルを用いた。実施例１〜４の測定結果を表１に示す。なお、支持金具の表面側は室温に設定されている。
【００３２】
【表１】
2006176966.tif 000003
【００３３】
実施例１は、実施形態の支持金具１のサンプルとしての４９Ｈプラスチックジョイント型支持金具である。実施例２は、実施形態の支持金具１のサンプルとしての３４Ｈプラスチックジョイント型支持金具である。実施例３は、実施形態の支持金具２のサンプルとしての４９Ｈ中央部開口型支持金具である。実施例４は、実施形態の支持金具２のサンプルとしての３４Ｈ中央部開口型支持金具である。実施例１，２のサンプルの側面部の高さはそれぞれ４９ｍｍ，３４ｍｍである。実施例１，２のサンプルの側面部の幅は１８ｍｍである。実施例１，２のサンプルの側面部の隙間の間隔は２ｍｍである。実施例３，４のサンプルの側面部の高さは、それぞれ４９ｍｍ，３４ｍｍである。実施例３，４のサンプルの側面部の幅は、１８ｍｍである。実施例３，４のサンプルの中央部の開口の大きさは、縦長が２０ｍｍ，横長が１４ｍｍである。実施例５のサンプルは実施例１と同じ支持金具、実施例６のサンプルは実施例３と同じ支持金具である。
【００３４】
表１から判るように、実施例１の４９Ｈプラスチックジョイント型支持金具では、加熱面側温度が５９．７℃であるにもかかわらず、加熱面とは反対側の表面側温度が４２．４℃となり、１７．３℃という大きな温度差が得られた。これにより、本発明の実施形態の支持金具１では、大きな熱伝導抑制効果を得ることができることが示された。また、実施例３の４９Ｈ中央部開口型支持金具では、加熱面側温度が５８．６℃であるにもかかわらず、加熱面とは反対側の表面側温度が４４．８℃となり、１３．８℃という大きな温度差が得られた。これにより、本発明の実施形態の支持金具２も、大きな熱伝導抑制効果を得ることができることが示された。
【００３５】
また、実施例１と実施例２の比較および実施例３と実施例４の比較から、本発明の支持金具は、側面部の高さが大きい方が、より大きな熱伝導抑制効果を得ることができることが判った。
【００３６】
さらに、実施例１と実施例５の比較および実施例３と実施例６の比較から、本発明の支持金具は、室温側とは反対側の面が室温とより大きな温度差を有する温度に曝されたときには、より大きな熱伝導抑制効果を得ることができることが判った。
【００３７】
以上のように、本発明の支持金具は、熱伝導抑制効果が優れていることが実証された。
【図面の簡単な説明】
【００３８】
【図１】本発明の一実施形態の支持金具を表す図であり、（Ａ）は正面図、（Ｂ）は側断面図、（Ｃ）は上面図である。
【図２】本発明の一実施形態の支持金具が屋根に所定の間隔をおいて配置された垂木に固定されている状態を表す概略斜視図である。
【図３】図２の垂木に固定された支持金具によって断熱材が支持されている状態を表す概略断面図である。
【図４】本発明の一実施形態の他の支持金具を表す図であり、（Ａ）は正面図、（Ｂ）は側断面図、（Ｃ）は上面図である。
【図５】本発明の一実施形態の他の支持金具が屋根に所定の間隔をおいて配置された垂木に固定されている状態を表す概略斜視図である。
【図６】図５の垂木に固定された他の支持金具によって断熱材が支持されている状態を表す概略断面図である。
【図７】本発明の一実施形態の他の支持金具を表す図であり、（Ａ）は正面図、（Ｂ）は側断面図、（Ｃ）は上面図である。
【図８】本発明の一実施形態の他の支持金具が屋根に所定の間隔をおいて配置された垂木に固定されている状態を表す概略斜視図である。
【図９】図８の垂木に固定された他の支持金具によって断熱材が支持されている状態を表す概略断面図である。
【図１０】本発明の一実施形態の他の支持金具を表す図であり、（Ａ）は正面図、（Ｂ）は側断面図、（Ｃ）は上面図である。
【図１１】本発明の一実施形態の他の支持金具が屋根に所定の間隔をおいて配置された垂木に固定されている状態を表す概略斜視図である。
【図１２】図１１の垂木に固定された他の支持金具によって断熱材が支持されている状態を表す概略断面図である。
【図１３】支持金具の従来例を表す概略側面図である。
【符号の説明】
【００３９】
１，２，３，４…支持金具、１０…取付部、１１…頂面部、１２…側面部、１２Ａ…上側側面部、１２Ｂ…下側側面部、１４，１６，１８，２２…爪部（第１爪部，第３爪部，第４爪部，第２爪部）、１６ａ，３１，３２…爪、２０…支持部、３０…熱伝導抑制部、３３…熱絶縁部材、３４…開口、３５，３７…連結部、３６…切欠、１０１…垂木（支持部材）、１０２…断熱材（パネル）
【図１】
2006176966.tif 000004
【図２】
2006176966.tif 000005
【図３】
2006176966.tif 000006
【図４】
2006176966.tif 000007
【図５】
2006176966.tif 000008
【図６】
2006176966.tif 000009
【図７】
2006176966.tif 000010
【図８】
2006176966.tif 000011
【図９】
2006176966.tif 000012
【図１０】
2006176966.tif 000013
【図１１】
2006176966.tif 000014
【図１２】
2006176966.tif 000015
【図１３】
2006176966.tif 000016